(57)【要約】リヤプロジェクションテレビジョン装置内に赤外線（ＩＲ）遠隔制御受信器を取付けるシステムにおいて、コーティングを有する鏡を特徴とし、このコーティングは、可視光線はビューイング装置に反射し、赤外線領域における光線は、鏡を透過させ、鏡の背後に取付けられるＩＲ受信器により検出されるようにする。
2004533652.tif 000002
【特許請求の範囲】
【請求項１】
画像を作成する明るい画像源と、
前記作成された画像をターゲット面に向けて向きを直し、第１の複数の光線の波長を反射し、第２の複数の光線の波長を透過する平面素子と、
収束手段と、
ＩＲ受信素子と、
前記作成された画像を表示するターゲット面と、を有するリヤプロジェクションテレビジョン（ＲＴＶ）システム。
【請求項２】
前記明るい画像源は、陰極線管（ＣＲＴ）を有する請求項１記載のシステム。
【請求項３】
前記第１の複数の光線の波長は、長さにおいて７９０ナノメートル未満の波長を有する請求項１記載のシステム。
【請求項４】
前記第２の複数の光線の波長は、長さにおいて７９０ナノメートルより大きい波長を有する請求項１記載のシステム。
【請求項５】
前記平面素子は、平らな表面に付着されるコーティングを有する全体として透明の材料を有する請求項１記載のシステム。
【請求項６】
前記透明の材料は、ガラスである請求項５記載のシステム。
【請求項７】
前記コーティングの材料は、酸化チタン、酸化ケイ素、及び、酸化タンタルを有する群から選択される化合物である請求項５記載のシステム。
【請求項８】
前記平面素子は、前記明るい画像源と前記ターゲット面との間の光学路に位置付けられる請求項１記載のシステム。
【請求項９】
前記収束手段は、前記明るい画像源と前記ターゲット面との間の光学路に位置付けられる請求項１記載のシステム。
【請求項１０】
前記収束手段は、フレネルレンズを有する請求項１記載のシステム。
【請求項１１】
前記ターゲット面は、前記フレネルレンズである請求項１０記載のシステム。
【請求項１２】
前記ＩＲ受信素子は、前記平面素子が、前記ＩＲ受信素子と遠隔制御装置のＩＲ送信器との間に設置されるよう位置付けられる請求項１記載のシステム。
【請求項１３】
前記ＩＲ受信素子は、前記ターゲット面が、前記ＩＲ受信素子と遠隔制御装置のＩＲ送信器との間に設置されるよう位置付けられる請求項１記載のシステム。
【請求項１４】
前記ＩＲ受信素子は、前記収束手段が、前記ＩＲ受信素子と遠隔制御装置のＩＲ送信器との間に設置されるよう位置付けられる請求項１記載のシステム。
【発明の詳細な説明】
【０００１】
本発明は、プロジェクションテレビジョンシステム（ＰＴＶ）に係る。
【０００２】
赤外線（ＩＲ）遠隔制御装置が、リヤプロジェクションテレビジョン（ＰＴＶ）セットと共に用いられる場合、受信用ＩＲ装置は、一般的に、収束レンズ組立体のエッジ付近のフロントパネルの領域に、又は、反射鏡の下側のいずれかに取付けられる。この特定の場所の選択は、ＩＲ受信器から視聴者の制御装置に向けて見通し線を与えるよう行われる。しかし、制御器の電池の寿命を維持するために、伝送路は最小限にされ、それにより、所与の伝送電力に対して十分に強い受信信号を与える。
【０００３】
周知のプロジェクションテレビジョンシステムの不利点は、そのような構成は、フロントパネルの表面領域を占有することである。このことは、一般的に審美的に好ましい構成の中のＩＲ受信器感知素子をＰＴＶの全体の囲い内に収容するために、シャーシのサイズを必要以上に大きくしてしまう。このシャーシサイズへの影響を相殺するために、受信センサのターゲット領域は一般的に小さくされ、それにより、受信信号電力が小さくなってしまう。
【０００４】
本発明は、改善されたＩＲ信号受信を有するプロジェクションテレビジョンシステムを提供することを目的とする。この目的は、請求項１に記載するように本発明によるプロジェクションテレビジョンシステムにより達成される。
【０００５】
投射される画像を向け直す反射鏡を用いるリヤプロジェクションテレビジョン（ＰＴＶ）システムにおいて、この反射鏡は、本発明の１つの好適な実施例にあるように２つの光特性を有するコーティング材料を用いて製造される。入射可視光線ビーム（波長＜７９０ｎｍ）に対する高い反射特性と、ＩＲ光線ビーム（波長＞７９０ｎｍ）に対する透過特性を有する２つの特性によって、ＩＲ受信器素子は、ＰＴＶのフロントパネルではなく、反射鏡の背後に位置付けることが可能である。更に、作成された画像を収束するために用いるフレネルレンズは、フレネルレンズを用いない場合よりも強い受信ＩＲ信号を供給するよう入射ＩＲビームを収束するよう用いることが可能である。
【０００６】
更なる有利な実施例は、従属請求項に記載する。本発明の上述した及び他の面は、以下に説明する実施例を参照しながら明らかになろう。
【０００７】
図１は、可視光線ビームを平面鏡１４に向ける陰極線管（ＣＲＴ）といった点灯された画像源１２を有する従来のリヤプロジェクションテレビジョン（ＰＴＶ）システム１０を示す。平面鏡１４において、可視光線ビームは、収束フレネルレンズ１６又は表示スクリーン（図示せず）上のターゲット面に向き直される。一般的に、このようなシステム１０は、ＩＲ受信装置２０と通信するＩＲ送信器を有する遠隔ユーザインタフェース装置１８を有する赤外線（ＩＲ）遠隔制御装置を有する。ＩＲ受信装置２０は、一般的に、リアＰＶＴ装置２２のシャーシの前面に設置されて、ＩＲ受信装置２０のセンサにおける最大強度の見通し線信号を確実にする。
【０００８】
リヤＰＴＶ装置２２内のＩＲ受信装置２０の代替の取付け場所は、シャーシ内の設置場所２４であることも可能である。設置場所２４において、ＩＲ信号は、平面鏡１４によりＩＲ受信装置２０ａに反射されることが可能である。このように向きを直されるＩＲ構成は、フロントパネル取付け構成よりも長い信号経路を与え、従って、弱いＩＲ信号を与えるが、この構成は、シャーシは、ＩＲ受信装置２０を受容するために、外的な審美的な修正を必要としないという追加される利点を有する。主要な設計の検討事項は、遠隔インタフェース装置１８が、ＰＴＶ装置２２のすぐ前にないときに、ＩＲ受信装置２０において十分に強いＩＲ信号を与える可能性である。平面鏡１４への入射角は、反射角であるので、反射されたビームは、通常は、ＩＲビームの中心をＩＲ受信装置２０ａ上に合わせないので、更に、最終的に受信されるＩＲ信号を劣化させる。
【０００９】
図２は、本発明の１つの好適な実施例による赤外線（ＩＲ）受信器２８の例示的な設置場所を示すＰＴＶシステム２６を示す。平面鏡３０のコーティングを変えることにより、遠隔インタフェース装置１８からのＩＲ波長ビーム３２は、平面鏡３０を通り抜けることができ、一方、ＣＲＴ１２からの可視の波長ビーム３４は、ターゲット面又はフレネルレンズ１６に向けて反射されることが可能となる。このような半反射平面鏡３０によって、ＩＲ受信装置２８が、平面鏡３０の背後に設置され且つ取付けられることを可能にする。従って、ＩＲ受信装置２８で受信されるＩＲビームは、入射する透過角とは関係なく、何故なら、全ての入来ＩＲビームは、ＩＲ受信装置２８に向けて直線の見通し線を有することになるからである。
【００１０】
ＩＲ受信装置２８は、様々なやり方で、平面鏡３０の背後に取付けられることが可能であり、また、特定の審美的な検討事項が必要とされないので、部品の個数、組み立て時間、及び、費用に関して有意な減少を実現することができる。例示的な取付け構成としては、ＰＴＶ装置２２のシャーシフレームに固定される成形プラスチックフレームが挙げられ得る。
【００１１】
平面鏡３０の反射性コーティングは、１）７９０ナノメートル（ｎｍ）の例示的な波長λ未満の光波長に対しては高反射性の表面を、２）その例示的な７９０ｎｍ波長より上の赤外線波長に対しては透過性の媒体を与えるスペクトル透過／吸収特性を有することが好適である。例えば、７９０ｎｍ未満では、反射率は、約９０％であり、透過率は、約１０％であり得、一方、７９０ｎｍより上では、反射率は、約１５％であり、透過率は、約８５％であり得る。このような鏡は、当該技術において、「コールドミラー」として知られている。例えば、６００ｎｍ、９００ｎｍ、又は１２００ｎｍ波長といった別の波長も、可視光線と、通信ＩＲリンクとの仕切りとして用いることが可能である。
【００１２】
このようなコールドミラーの製造は、ガラス又はプラスチックといった一般的に透明な材料をコーティングすることが含まれる。このコーティングは、少なくとも１つの主な平面に付着される。このコーティングは更に、酸化チタン、二酸化ケイ素、及び、酸化タンタル（tantulum oxide）を有する例示的な群からの１つ以上の化合物である材料を有する。仕上げされた半反射性平面素子は、図２に示すように、明るい画像源１２とターゲット面との間の光学路に位置付けられ得る。
【００１３】
図２に示す可視光線ビーム３４に対しターゲット面として作用し、ＩＲ信号３２の放射経路に置かれるフレネルレンズ１６を有することの追加の利点は、フレネルレンズ１６は更に、入来ＩＲビーム３２を収束することである。この収束は、ＩＲ受信素子２８におけるエネルギー密度を増加し、それにより、低いエネルギー使用を可能にする。更に、ＣＲＴ及び他の外部光源からの可視光線は、いくらかのＩＲ放射線を有するので、バッフルを用いて、そのような所望しないビームによる任意の劣化を最小限にし得る。
【００１４】
図３は、従来の鏡についての入射光線ビームの波長に対する反射率の曲線３６を示す。破線３８は、７９０ｎｍの波長を表し、これは、図４及び図５における例示的な仕切り点である。曲線は、１２００ｎｍより上で自然に減衰する。
【００１５】
図４は、本発明の１つの好適な実施例によってコーティングされる鏡についての入射光線ビームの波長に対する反射率の曲線４０を示す。明らかな区分は、点４２のロールオフにおいて始まり、従って、本発明の平面素子の反射性は、点４４において７９０ｎｍより上の波長については原則的に排除される。
【００１６】
図５は、光の入射ビームの波長に対する図２の鏡の透過率の曲線を示す。実際の効果は、図３に示す曲線を図４に示す曲線と合わせて、１０００ｎｍの波長に中心が合わされる一般的なガウス曲線を得ることである。
【００１７】
本発明の様々な変形及び代替の実施例が、上述した説明を考慮に入れると、当業者には明らかである。従って、この説明は、例示的であり、当業者に本発明を実行する最良の形態を教示することを目的とすると考えるものとする。実施例の詳細は、本発明の技術的思想から逸脱することなく変更され得、特許請求の範囲内の全ての変形の専用は、留保される。
【図面の簡単な説明】
【００１８】
【図１】遠隔制御赤外線（ＩＲ）受信器の例示的な設置場所を示す従来のプロジェクションテレビジョン（ＰＴＶ）システムを示す図である。
【図２】本発明の１つの好適な実施例による遠隔制御赤外線（ＩＲ）受信器の例示的な設置場所を示すＰＴＶシステムを示す図である。
【図３】従来の鏡についての入射光線ビームの波長に対する反射率の曲線を示す図である。
【図４】本発明の１つの好適な実施例によってコーティングされる鏡についての入射光線ビームの波長に対する反射率の曲線を示す図である。
【図５】光の入射ビームの波長に対する図３の鏡の透過率の曲線を示す図である。
【図１】
2004533652.tif 000003
【図３】
2004533652.tif 000004
【国際公開パンフレット】
2004533652.tif 000005
2004533652.tif 000006
2004533652.tif 000007
2004533652.tif 000008
2004533652.tif 000009
2004533652.tif 000010
2004533652.tif 000011
2004533652.tif 000012
2004533652.tif 000013
【国際調査報告】
2004533652.tif 000014
2004533652.tif 000015
2004533652.tif 000016